(57)【特許請求の範囲】
【請求項１】
利用者に対面する前面部に操作部を有するとともに、券の処理に必要な機器部分を内蔵する筐体と、
前記操作部と併存して券処理に関連する新たな機能を追加する機能モジュールを有し、前記筐体に対して前記前面部に着脱可能に固定されるとともに、固定された状態で前記筐体の下部前方に足元用の空間を形成するテーブルモジュールと
を備える券処理装置。
【請求項２】
前記筐体には、前記テーブルモジュールに代えて当該テーブルモジュールの取付構造を覆う塞ぎ板を取付けることができる、請求項１に記載の券処理装置。
【請求項３】
前記筐体は、前記前面部に前記取付構造として矩形の連結受部を有し、前記テーブルモジュールは、前記連結受部に連結される組付部を有する、請求項２に記載の券処理装置。
【請求項４】
前記機能モジュールは、前記筐体内の前記機器部分と連動する、請求項１〜３のいずれか一項に記載の券処理装置。
【請求項５】
前記テーブルモジュールは、異なる種類の複数の機能モジュールのうち少なくとも２つ以上を組み合わせて組み付け可能に構成されている、請求項４に記載の券処理装置。
【請求項６】
前記テーブルモジュールは、前記筐体に対して前記操作部の下側において前記前面部に着脱可能に固定される、請求項１〜５のいずれか一項に記載の券処理装置。
【請求項７】
前記テーブルモジュールは、固定された状態で上面側に平坦領域を有する、請求項１〜６のいずれか一項に記載の券処理装置。
【請求項８】
前記平坦領域は、前記テーブルモジュールの前記上面の略全体に亘って水平に延びる、請求項７に記載の券処理装置。
【請求項９】
前記テーブルモジュールは、前記筐体を駐車場のユニバーサルデザイン化に適合させるものであり、前記筐体に内蔵された前記機器部分は、駐車場管理システムの精算機として機能する、請求項１〜８のいずれか一項に記載の券処理装置。
【発明の詳細な説明】
【技術分野】
【０００１】
本発明は、各種券に関して発行、精算等を可能にする券処理装置に関し、特に駐車場管理システムの精算機等に好適な券処理装置に関する。
【背景技術】
【０００２】
高齢化の進展とノーマライゼーション理念の高まりとにより、高齢者や障害者の積極的な社会進出が求められている中、駐車場その他の公共施設においても、ユニバーサルデザインを取り入れた券処理装置の設置に対する社会的要請が高まっている。
券処理装置として、高齢者や身体障害者が円滑に利用できる駐車場のバリアフリー及びユニバーサルデザインを考慮した駐車料金事前精算機であって、特に車椅子利用者が単独で使用できるようにしたものが公知となっている（引用文献１）。この精算機は、機体に設けた操作部の前面において、下方に車椅子が進入できる空間を有した高さで手前側に突出するテーブル部を設けたものとなっている。なお、このテーブル部の上面には、駐車券やプリペイドカードといった各種カード類を載置できる浅い皿状のカードトレーを設けてあり、操作部の前面部分にカード挿入・排出口を設けることにより、カードトレーに載置したカード類をそのまま滑らせて挿入でき、かつ、処理済みのカード類を上記カードトレーに排出することができるようになっている。
【０００３】
上述した特許文献１に開示の精算機は、駐車場のユニバーサルデザイン化に対応したものとなっているものの、精算機の筐体が専用設計と認められ、ユニバーサルデザイン対応機とその非対応機とが併存する現状では、工場においてこれらの機器の生産工程又はラインを別にせざるを得ない。このように、生産工程を別にすることに起因して、専用設備が増加するため、ユニバーサルデザイン対応機がかなり高価になってしまうといった問題がある。
【０００４】
また、ユニバーサルデザイン対応機に求められる機能は、設置場所や設置タイミングに依存して大きく変化しており柔軟性が求められているが、特許文献１に開示の精算機では、このような要望に対処することは容易でない。
【先行技術文献】
【特許文献】
【０００５】
【特許文献１】特開２００８−２０４２７３号公報
【発明の概要】
【発明が解決しようとする課題】
【０００６】
本発明は、上記問題点に着目してなされたもので、ユニバーサルデザインに対応する券処理装置を非対応機と共通する生産工程で製造することができ、ユニバーサルデザインに対応する券処理装置の安価な製造を可能にすることができる券処理装置を提供することを目的とする。
【０００７】
上記課題を解決するための券処理装置は、利用者に対面する前面部に操作部を有するとともに、券の処理に必要な機器部分を内蔵する筐体と、筐体に対して前面部に着脱可能に固定されるとともに、固定された状態で筐体の下部前方に足元用の空間を形成するテーブルモジュールとを備える。
【０００８】
上記券処理装置によれば、筐体に対して着脱可能に固定されるテーブルモジュールが、固定された状態で前面部から突出することにより筐体の下部前方に足元用の空間を形成するので、券処理装置をユニバーサルデザインに対応させたものとできる。さらに、テーブルモジュールが筐体に対して後付けされる構造となっているので、テーブルモジュールを外した筐体によっても券処理装置を構成することができ、テーブルモジュール付きのユニバーサルデザイン対応型の券処理装置と、ユニバーサルデザインに非対応の券処理装置とを共通の生産工程で製造することができる。これにより、ユニバーサルデザイン対応型の券処理装置を安価に製造及び提供することができる。
【０００９】
本発明の具体的な側面では、筐体には、テーブルモジュールに代えて当該テーブルモジュールの取付構造を覆う塞ぎ板を取付けることができる。この場合、テーブルモジュールの取付構造が外側に露出して目障りなものとなることを防止できる。
【００１０】
本発明の別の側面では、筐体は、前面部に取付構造として矩形の連結受部を有し、テーブルモジュールは、連結受部に連結される組付部を有する。この場合、筐体側の連結受部とテーブルモジュール側の組付部とを利用して、テーブルモジュールの簡易・確実な取付けが可能になる。
【００１１】
本発明のさらに別の側面では、テーブルモジュールは、筐体内の機器部分と連動する少なくとも１つ以上の機能モジュールを有する。この場合、テーブルモジュールに券処理に関連する機能を持たせることができる。
【００１２】
本発明のさらに別の側面では、テーブルモジュールは、異なる種類の複数の機能モジュールのうち少なくとも２つ以上を組み合わせて組み付け可能に構成されている。この場合、テーブルモジュールに多様な機能を持たせることができ、利用シーンに応じたオプション対応が可能になり、より多様なサービスが可能になる。
【００１３】
本発明のさらに別の側面では、テーブルモジュールは、固定された状態で上面側に平坦領域を有する。この場合、テーブルモジュールに載置台のような機能を持たせることができ、利用者又は顧客の使い勝手をさらに向上させることができる。
【００１４】
本発明のさらに別の側面では、テーブルモジュールは、筐体を駐車場のユニバーサルデザイン化に適合させるものであり、筐体に内蔵された機器部分は、駐車場管理システムの精算機として機能する。この場合、券処理装置は、事前精算機等として用いられ、駐車場のユニバーサルデザイン化に寄与する。
【図面の簡単な説明】
【００１５】
【図１】本発明の一実施形態に係る事前精算機の第１態様を示す外観斜視図である。
【図２】図１の第１態様の事前精算機の正面図である。
【図３】図２の第１態様の事前精算機の側面図である。
【図４】図１の事前精算機からテーブルモジュールを取り除いた第２態様の事前精算機の正面図である。
【図５】図４の第２態様の事前精算機の側面図である。
【図６】（Ａ）及び（Ｂ）は、テーブルモジュールを説明する正面図及び平面図であり、（Ｃ）は、テーブルモジュールの背面図である。
【図７】（Ａ）は、筐体側におけるテーブルモジュール用の連結受部を説明する正面図であり、（Ｂ）は、テーブルモジュール等の固定方法の一例を説明する断面図である。
【図８】事前精算機の機能的な構成の一例を説明するブロック図である。
【図９】図１等に示す事前精算機を組み込んだ駐車場管理システムを説明する概念図である。
【図１０】変形例の事前精算機を概念的に説明する図である。
【発明を実施するための形態】
【００１６】
以下、本発明に係る券処理装置の具体的な適用例として、実施形態に係る駐車場管理システム用の事前精算機について図面を参照しつつ説明する。
【００１７】
図１〜３に示すように、本実施形態の事前精算機（券処理装置）１００は、その第１態様において、汎用的な筐体１０を含む本体部分２０と、筐体１０に対して固定されたテーブルモジュール３０とを備える。テーブルモジュール３０は、筐体１０の前面部１０ａの上下に関する中央部に着脱可能に固定されており、筐体１０の前面部１０ａから突出している。図示のようにテーブルモジュール３０を取り付けた第１態様の事前精算機１００の場合、筐体１０の足下側に窪んだ空間ＲＳが形成されており、この空間ＲＳが顧客又は利用者の車イスの足入れ空間として機能しユニバーサルデザイン化に適合したものとなっている。
【００１８】
事前精算機１００のうち、本体部分２０は、四角柱状の部分であり、外観的な要素として筐体本体１１と扉体１２とを有する。筐体本体１１は、容器又は箱状の部分であり、詳細は後述するが駐車券の処理に必要な機器部分を内蔵している。筐体本体１１は、扉体１２を片開きの開き戸状に開閉可能に支持している。扉体１２は、矩形板状の部分であり、筐体１０の前面部１０ａに対応しており、その上側に操作部１２ａを有する。操作部１２ａの領域には、案内表示画面１４、券投入返却部１５、硬貨投入返却部１６、紙幣投入部１７、及び紙幣返却部１８が設けられている。扉体１２は、上下に関する中央部にテーブルモジュール３０を支持しており、テーブルモジュール３０とともに開閉可能になっているが、施錠により保守係員等の特定者のみが開閉できるようにしている。
【００１９】
テーブルモジュール３０は、本体部分２０の前面部１０ａから正面側に庇状に突起する厚い棚台である。テーブルモジュール３０は、本体部分２０の筐体１０前側に固定されて筐体１０と一体化されている。テーブルモジュール３０は、下側の支持体であるテーブル基部３１と、テーブル基部３１上に配置された複数のブロック状のモジュールケース３２ａ，３２ｂ，３２ｃとを含む。
【００２０】
以上のように、本体部分２０にテーブルモジュール３０を固定した事前精算機１００は、本体部分２０とテーブルモジュール３０とを一体化したものであり、テーブルモジュール３０の下方に足下用の窪んだ空間ＲＳを有している。この空間ＲＳは、具体的な装置において、高さ６５０ｍｍで、奥行き３５０ｍｍ程度のサイズを有している。一方、テーブルモジュール３０の上面３０ａは、顧客又は利用者の便宜を考慮して平坦面に形成された平坦領域３０ｆを有しており（図６（Ｂ）参照）、テーブルモジュール３０上に鞄等の荷物を一時的に載置することができるようになっている。
【００２１】
図４及び５に示すように、本実施形態の事前精算機１００は、その第２態様において、筐体１０を含む本体部分２０のみを実質的に備える。つまり、筐体１０からテーブルモジュール３０が取り外されている。この場合、筐体１０には、テーブルモジュール３０に代えてテーブルモジュール３０の取付構造を覆う塞ぎ板４０を取付けている。
【００２２】
塞ぎ板４０は、矩形の薄い板状体であり、筐体１０の扉体１２の上下に関する中央部に着脱可能に固定されている。塞ぎ板４０は、機能的な部分を備えておらず、その表面４０ａは、平坦である。塞ぎ板４０は、扉体１２の前面１２ｆを覆うように前面１２ｆから若干突出している（図５参照）が、扉体１２の前面１２ｆに浅い窪みを形成してこの窪みに嵌め込むように固定するならば、塞ぎ板４０の埋め込みによって前面１２ｆと一体化した平坦面を形成することができる。
【００２３】
なお、塞ぎ板４０の表面４０ａには、一般的な案内や広告を表示する薄板状のディスプレイを設けることもできる。
【００２４】
以上のように、テーブルモジュール３０に代えて塞ぎ板４０を取り付けた第２態様の事前精算機１００は、実質的に本体部分２０からなる四角柱状の外観を有する旧来的な事前精算機であり、上述した足下用の窪んだ空間ＲＳを有していない。
【００２５】
図６（Ａ）及び（Ｂ）に示すように、本実施形態の場合、テーブルモジュール３０は、内部機構を備えおらず、テーブル基部３１上に複数のブロック状のモジュールケース３２ａ，３２ｂ，３２ｃが配置されている。これらのモジュールケース３２ａ，３２ｂ，３２ｃの前面は、テーブル基部３１の前面よりも幾分後退した位置に配置されている。テーブル基部３１やモジュールケース３２ａ，３２ｂ，３２ｃは、筐体１０に直接固定されているが、モジュールケース３２ａ，３２ｂ，３２ｃついては、予めテーブル基部３１に固定する構造とすることもでき、この場合、モジュールケース３２ａ，３２ｂ，３２ｃは、テーブル基部３１を介して筐体１０に間接的に固定されることになる。
【００２６】
図７（Ａ）に示すように、事前精算機１００からテーブルモジュール３０を取り外した場合、テーブルモジュール３０の取付構造として、筐体１０は、扉体１２の前面１２ｆに矩形領域の連結受部１２ｇを有する。連結受部１２ｇには、多数の固定用孔１２ｉが形成されており、複数の連通口１２ｊも形成されている。固定用孔１２ｉは、テーブルモジュール３０や塞ぎ板４０を固定するための部分である。連通口１２ｊは、テーブルモジュール３０に機能的な部分を設けた場合の情報や物の遣り取りを考慮したものであり、信号ケーブル、カード処理機構等の一部が挿入される。
【００２７】
図６（Ｂ）及び（Ｃ）に戻って、テーブルモジュール３０の裏面側には、扉体１２の連結受部１２ｇに連結される組付部３０ｇが形成されている。組付部３０ｇは、テーブルモジュール３０がテーブル基部３１と複数のモジュールケース３２ａ，３２ｂ，３２ｃとを含むことから、これらの個々のユニットごとに多数の雌ねじ部５１が設けられている。これらの雌ねじ部５１は、連結受部１２ｇの固定用孔１２ｉに嵌合可能となっている。なお、テーブルモジュール３０を取り付ける際には、まずテーブル基部３１を連結受部１２ｇに固定し、残りのモジュールケース３２ａ，３２ｂ，３２ｃを順次テーブル基部３１上に積み上げるようにして連結受部１２ｇに固定する。
【００２８】
図７（Ｂ）等を参照して、図２に示すテーブルモジュール３０や図４に示す塞ぎ板４０を筐体１０の扉体１２に固定する方法の一例について説明する。テーブルモジュール３０の組付部３０ｇと同様に塞ぎ板４０の裏面にも、多数の円筒状の雌ねじ部５１が形成されており、これらの雌ねじ部５１は、連結受部１２ｇの固定用孔１２ｉに嵌合するように挿入される。連結受部１２ｇの固定用孔１２ｉには、裏面から固定ネジ５２が挿入されるようにあてがわれ、雌ねじ部５１にねじ込まれる。これにより、テーブルモジュール３０の組付部３０ｇや塞ぎ板４０の裏面が連結受部１２ｇに密着して固定される。なお、テーブルモジュール３０や塞ぎ板４０は、扉体１２の裏側から固定されるので、事前精算機１００の外側からテーブルモジュール３０等を勝手に外すことはできない。
【００２９】
図８を参照して、事前精算機１００の機能的な構造を構成する機器部分１０１について説明する。事前精算機１００の機器部分１０１は、接客ディスプレイ８１と、画面制御回路８２と、駐車券処理部８３と、金銭処理装置８４と、金銭機器制御部８５と、通信部８６と、保守係員用タッチパネル８７と、メイン制御部８８とを備える。接客ディスプレイ８１は、扉体１２に固定された案内表示画面１４を含むものであり、画面制御回路８２の制御下で顧客又は利用者に対して操作に関連する情報を提供する。なお、接客ディスプレイ８１は、タッチパネルを含んでおり、顧客からの指示を受け取って画面制御回路８２に出力する。駐車券処理部８３は、扉体１２に固定された券投入返却部１５を含むものであり、券投入返却部１５から入場券を受け取って磁気記録や印字といった処理を行う部分である。駐車券処理部８３による処理済みの入場券は、券投入返却部１５から顧客に返却される。金銭処理装置８４は、還流式ビルバリ８４ａ、コインメック８４ｂ、及び硬貨一括投入ユニット８４ｃを含む。還流式ビルバリ８４ａは、紙幣識別ユニットであり、金銭機器制御部８５の制御下で顧客から紙幣を受け取って種類や枚数を識別し、適切な種類及び枚数の紙幣を返却する。コインメック８４ｂは、コイン識別ユニットであり、金銭機器制御部８５の制御下で硬貨一括投入ユニット８４ｃを介して顧客から硬貨を受け取って種類や枚数を識別し、硬貨一括投入ユニット８４ｃを介して適切な種類及び枚数の硬貨を返却する。通信部８６は、外部機器、例えば中央の駐車管理装置９１、駐車場９２内に設置された駐車券発行機９２ａ、入場ゲート９２ｂ、料金精算機９２ｃ、出場ゲート９２ｄ等（図９参照）と通信するためのものであり、駐車管理装置９１によって事前精算機１００の動作状況を監視することができ、駐車管理装置９１の管理下で事前精算機１００を動作させることができる。また、通信部８６により、駐車場９２に入場する際に車両から取得した車両ナンバー、車両に搭載された例えばＥＴＣのような車載器から送信される固有情報等を受け取ることもでき、事前精算機１００は、これらの情報に基づいて精算に必要な処理を行うことができる。
【００３０】
メイン制御部８８は、画面制御回路８２、駐車券処理部８３、金銭機器制御部８５、通信部８６、保守係員用タッチパネル８７等の動作を統括的に管理しており、駐車券の事前精算が可能になる。つまり、メイン制御部８８は、駐車券発行機によって発行された駐車券が駐車券処理部８３に挿入された場合、駐車券の記録情報に基づいて精算済みか否かを判定し、精算済みである場合、その旨の情報を顧客に提示し、この処理に関連する情報を駐車管理装置９１に送信する。駐車券が未精算である場合、挿入された駐車券の記録情報に基づいて入場時刻と現在時刻から駐車時間を算出して駐車料金を算出し、接客ディスプレイ８１、金銭処理装置８４等のインターフェースを利用して顧客と遣り取りしつつ駐車料金の精算処理を行う。この際、メイン制御部８８は、駐車券処理部８３に磁気記録や印字を行わせて精算済みであることを記録する。また、メイン制御部８８は、精算処理に関連する情報を駐車管理装置９１に送信する。これにより、顧客が出場ゲート９２ｄの傍に設置された料金精算機９２ｃに精算済みの駐車券を投入すれば、出場ゲート９２ｄが開いて出庫が可能になる。或いは、顧客の車両が出場ゲート９２ｄに近づくと、駐車管理装置９１に制御されて出場ゲート９２ｄが開き、出庫が可能になる。
【００３１】
以下、図１等に示す事前精算機１００の製造について説明する。筐体１０は、汎用的な組立てラインで作製することができ、その後、筐体１０に機器部分１０１が組み付けられる。一方、テーブルモジュール３０を構成するテーブル基部３１及びモジュールケース３２ａ，３２ｂ，３２ｃは、筐体１０とは別に製造される。その後、機器部分１０１を組み付けた筐体１０に対して後付け的に、テーブル基部３１とモジュールケース３２ａ，３２ｂ，３２ｃとを順次固定することでユニバーサルデザイン対応型の事前精算機１００が完成する。一方、ユニバーサルデザインに非対応の事前精算機１００を製造する場合、筐体１０を汎用的な組立てラインで作製する最終段階で、扉体１２に設けた連結受部１２ｇに塞ぎ板４０を固定する。なお、モジュールケース３２ａ，３２ｂ，３２ｃは、形状や機能に関して簡易に設計変更でき、モジュールケース３２ａ，３２ｂ，３２ｃに組み込む機能を用途や仕様の変更に応じて多様なものとできる。
【００３２】
図１０は、図１等に示す事前精算機１００の変形例を説明する図である。この場合、テーブルモジュール３０に内部機構を組み込んでいる。例えば、１つのモジュールケース３２ａにＩＣカードリーダー７１を組み込み、別のモジュールケース３２ｂにバーコードリーダー７２を組み込み、残りのモジュールケース３２ｂにレシートプリンター７３を組み込んでいる。ＩＣカードリーダー７１、バーコードリーダー７２、及びレシートプリンター７３は、筐体１０内の機器部分１０１に設けた通信部８６を介してメイン制御部８８と通信可能になっている。ＩＣカードリーダー７１は、各種ＩＣカード、携帯電話等と無線で通信可能になっており、メイン制御部８８を介して駐車管理装置９１と通信することで、電子マネーとしての決済を可能にする。バーコードリーダー７２は、登録されたバーコード情報の読み取りを可能にするものであり、割引その他の精算処理を可能にする。具体的には、事前精算機１００が病院に設置される場合、診察券のバーコードをバーコードリーダー７２に読み取らせることで、無料や割引といった診察者優待の恩典を利用することができ、駐車管理装置９１によって診察者優待の精算処理が行われる。レシートプリンター７３は、顧客が精算に際して領収書を要求する場合もあり、これに対応するためのものである。メイン制御部８８は、必要な情報を領収書用紙に印字して不図示のトレーに出力する。ＩＣカードリーダー７１を内蔵したモジュールケース３２ａは、ＩＣカード通信用の機能モジュール１７１として機能し、バーコードリーダー７２を内蔵したモジュールケース３２ｂは、バーコード読取り用の機能モジュール１７２として機能し、レシートプリンター７３を内蔵したモジュールケース３２ｃは、レシート出力用の機能モジュール１７３として機能する。以上の説明は一例であり、機能モジュールは、プリンタ機能、ＩＣカード等に対する無線通信機能等を利用することで、回数券発行機能、定期券発行機能等を組み込んだものとすることができる。この際、機能モジュール１７１，１７２，１７３等を含む多様な種類の機能モジュールを予め準備しておき、状況に応じて機能モジュールの種類の組み合わせを変更することもできる。
【００３３】
以上説明した本実施形態の事前精算機１００によれば、筐体１０に対して前面部１０ａから突出するように着脱可能に固定されるテーブルモジュール３０が、固定された状態で筐体１０の下部前方に足元用の空間ＲＳを形成するので、事前精算機（券処理装置）１００をユニバーサルデザインに対応させたものとできる。さらに、テーブルモジュール３０が筐体１０に対して着脱可能に固定されるので、テーブルモジュール３０を外した筐体１０によって事前精算機（券処理装置）１００を構成することができ、テーブルモジュール３０付きのユニバーサルデザイン対応型の券処理装置と、ユニバーサルデザインに非対応の券処理装置とを共通の生産工程で製造することができる。これにより、ユニバーサルデザイン対応型の券処理装置を安価に製造及び提供することができる。
【００３４】
以上、実施形態に即して本発明を説明したが、本発明は上記実施形態の事前精算機１００に限定されるものではなく、様々な変形が可能である。例えば、上記実施形態では、本発明の券処理装置を事前精算機１００に適用した例を説明したが、本発明の券処理装置を駐車場、娯楽施設その他の各種施設に設置される発券機、券売機等に適用することもできる。この場合、発券機や券売機が汎用的な筐体１０とこれに対して着脱可能なテーブルモジュール３０とを備えるものとなり、テーブルモジュール３０下方に足元用の空間ＲＳを形成することができる。なお、この場合、筐体１０等には、事前精算に必要な機能ではなく発券機や券売機の用途に応じた機能を持たせることになる。
【００３５】
筐体１０とテーブルモジュール３０又は塞ぎ板４０との固定方法は、上記に例示したものに限らず様々な手法を用いることができる。テーブルモジュール３０や塞ぎ板４０の固定は、半固定的なものであってもよい。つまり、テーブルモジュール３０や塞ぎ板４０は、筐体１０に対して固定可能となっている。なお、筐体１０の前面部１０ａについては、全体が平面的なものに限らず、用途や機能に応じて凹凸や段差を設けてもよい。
【符号の説明】
【００３６】
１０…筐体、  １０ａ…前面部、  １１…筐体本体、  １２…扉体、  １２ａ…操作部、  １２ｆ…前面、  １２ｇ…連結受部、  １２ｉ…固定用孔、  １２ｊ…連通口、  １４…案内表示画面、  １５…券投入返却部、  １６…硬貨投入返却部、  １７…紙幣投入部、  １８…紙幣返却部、  ２０…本体部分、  ３０…テーブルモジュール、  ３０ａ…上面、  ３０ｆ…平坦領域、  ３０ｇ…組付部、  ３１…テーブル基部、  ３２ａ，３２ｂ，３２ｃ…モジュールケース、  ４０…板、  ４０ａ…表面、  ５１…雌ねじ部、  ５２…固定ネジ、  ７１…カードリーダー、  ７２…バーコードリーダー、  ７３…レシートプリンター、  ８８…メイン制御部、  ９１…駐車管理装置、  ９２ａ…駐車券発行機、  ９２ｃ…料金精算機、  １００…事前精算機、  １０１…機器部分、  １７１，１７２，１７３…機能モジュール、  ＲＳ…空間
【図１】
0006537802.tif 000002
【図２】
0006537802.tif 000003
【図３】
0006537802.tif 000004
【図４】
0006537802.tif 000005
【図５】
0006537802.tif 000006
【図６】
0006537802.tif 000007
【図７】
0006537802.tif 000008
【図８】
0006537802.tif 000009
【図９】
0006537802.tif 000010
【図１０】
0006537802.tif 000011